(57)【要約】【課題】  これまでの女性用写真撮影におけるスカートに於いて、様々なパターンを一つのスカートで統合し品ぞろえ数の減少と着替え時間の短縮を図る。【解決手段】  本発明の写真撮影用スカートは一枚の扇型をした生地からなり縦の長さ２ｅが横の長さ２ｄより長い構成にする。使用する生地は、表は光沢素材の生地を中心とし裏は弾力性素材の生地を中心とする。３ａと３ｂは接合部であって長さが調整でき回転しやすい構造になっており、これを腰に巻きつけて巻きスカートのようにして装着することを特徴とする。  このスカートを装着し前や後、表、裏と着かたを変えることで多様な演出ができ、着替えの時間も短縮される。【選択図】図１
2015166510.tif 000002
【特許請求の範囲】
【請求項１】
両端部に互いに接合可能な接合部が設けられた紐状のベルトと、前記ベルトに取り付けられたスカート本体部とを備え、
前記スカート本体部は、
前記ベルトに取り付けられた両端部から略直線状に伸びた直線部と、前記直線部の端部を結ぶ弧状の弧状部とを有する略扇形状を有し、前記ベルトに対して直交する方向における前記ベルトから当該スカート本体部の前記弧状部の端部までの距離が、前記ベルトから当該スカート本体部の前記直線部の端部までの距離よりも長くなるように成形された
ことを特徴とするスカート。
【請求項２】
前記スカート本体部は、前記直線部と前記弧状部とで形成されるエッジ部の角度が１１０°以上となるように形成された
ことを特徴とする請求項１記載のスカート。
【請求項３】
前記スカート本体部は、
前記ベルトに対して直交する方向における前記ベルトから当該スカート本体部の前記弧状部の端部までの距離が、前記ベルトから当該スカート本体部の前記直線部の端部までの距離より３倍以上長くなるように成形された
ことを特徴とする請求項１または２記載のスカート。
【請求項４】
前記スカート本体部の一方の面の一部または全部が弾力性素材を用いて形成されるとともに、前記スカート本体部の他方の面の一部または全部が光沢を有する素材を用いて形成されている
ことを特徴とする請求項１〜３のいずれか１項記載のスカート。
【請求項５】
前記スカート本体部の前記ベルトに対向する前記弧状部の一部または全部に弾力性素材が装着された
ことを特徴とする請求項４記載のスカート。
【発明の詳細な説明】
【技術分野】
【０００１】  本発明は、女性用写真撮影に用いるスカートに於いてベースとなるミニスカートに写真撮影用スカートを付加することにより足の見え方や服のデザインを短時間に多様に変えることが出来るようにしたスカートに関するものである。
【背景技術】
【０００２】  従来、写真撮影用衣装については、顧客の好みや体型に合わせ多くの種類が必要になる。特に足を出すか出さないか、スカートの素材のもつ情感をどのように変化させるかが映りにとって重要なポイントであり、それ毎に衣装を準備する品ぞろえが必要であった。更に顧客にあった衣装を選びの為に着替えを繰り返す必要もあり時間を要していた。
【先行技術文献】
【特許文献】
【０００３】
【特許文献１】  特開平６−３１６８０１号公報
【特許文献２】  特開２０１３−２０９７６４号公報
【発明の概要】
【特許が解決しようとする課題】
【０００４】  これまでの女性用写真撮影におけるスカートの品ぞろえに於いては次のような欠点があった。
（ア）スカートに於いて、個人の好みや体型に応じて
足を出すか出さないか、
生地はクールで美しく高級な情感を出すか、フワフワ感のある可愛い情感を出すか
で印象が異なるため、それぞれのパターンごとの衣装を準備する必要があり、多く      の品ぞろえが必要となった。
（イ）スカート選びの際に、衣装を着替えて、印象を見て判断するために、着替えに多く      の時間を要した。
【課題を解決するための手段】
【０００５】  上記目的を達成するため、本発明に係るスカートの第１の特徴は、両端部に互いに接合可能な接合部が設けられた紐状のベルトと、前記ベルトに取り付けられたスカート本体部とを備え、前記スカート本体部は、前記ベルトに取り付けられた両端部から略直線状に伸びた直線部と、前記直線部の端部を結ぶ弧状の弧状部とを有する略扇形状を有し、前記ベルトに対して直交する方向における前記ベルトから当該スカート本体部の前記弧状部の端部までの距離が、前記ベルトから当該スカート本体部の前記直線部の端部までの距離よりも長くなるように成形されたことにある。
上記目的を達成するため、本発明に係るスカートの第２の特徴は、前記スカート本体部は、前記直線部と前記弧状部とで形成されるエッジ部の角度が１１０°以上となるように形成されたことにある。
上記目的を達成するため、本発明に係るスカートの第３の特徴は、前記スカート本体部は、前記ベルトに対して直交する方向における前記ベルトから当該スカート本体部の前記弧状部の端部までの距離が、前記ベルトから当該スカート本体部の前記直線部の端部までの距離より３倍以上長くなるように成形された
ことにある。
上記目的を達成するため、本発明に係るスカートの第４の特徴は、前記スカート本体部の一方の面の一部または全部が弾力性素材を用いて形成されるとともに、前記スカート本体部の他方の面の一部または全部が光沢を有する素材を用いて形成されていることにある。
上記目的を達成するため、本発明に係るスカートの第５の特徴は、前記スカート本体部の前記ベルトに対向する前記弧状部の一部または全部に弾力性素材が装着されたことにある。
【発明の効果】
【０００６】  本発明に係るスカートによれば、１つの写真撮影用スカートを、前、後に切り替えることで足を出したり出さなかったりできる。また生地を表と裏を取り換えることで美しく高級な感じと可愛い感じを演出できる。これにより以下の効果を奏する。
（ア）１つのスカートで、
足を出すか出さないかの両方、
生地はクールで美しく高級な情感とフワフワ感のある可愛い情感の両方、
の演出ができるため、品ぞろえが少なくてすむ。
（イ）スカートのベルトを前から後ろに回転するだけでも衣装が変わるため、着替えが不      要となり、着替えの時間が短縮となる。
【図面の簡単な説明】
【０００７】
【図１】本発明の一実施例に係るスカートの構成図（表）である。
【図２】本発明の一実施例に係るスカートの構成図（裏）である。
【図３】本発明の一実施例に係るスカートがユーザの足が見えるように着用された着用例を示す図である。
【図４】本発明の一実施例に係るスカートがユーザの足が見えないように着用された着用例を示す図である。
【図５】本発明の一実施例に係るスカートがユーザの足が見えないように着用された着用例を示す図である。
【発明を実施するための形態】
【０００８】  以下、本発明を実施するための形態を説明する。
図１は、本発明の一実施例に係るスカートの構成図（表）である。
【０００９】  図１に示すように、本発明の一実施例に係るスカート１は、ベルト部３と、このベルト部３に取り付けられたスカート本体部２と、スカート本体部２に取り付けられた長さ調整部４とを備えている。
【００１０】  ベルト部３は、紐状のベルト本体部３ｃと、このベルト本体部３ｃの両端部に設けられた接合部３ａ，３ｂとを備えている。このベルト３は、接合部３ａと接合部３ｂとを接合することにより環形状を有するので、例えば、ユーザのウエストにベルト本体部３ｃを接触させて、接合部３ａと接合部３ｂとを接合することにより、ユーザのウエストにベルト３を巻き付けることができる。ベルトで接合することで簡単にベルト接合部３ａ，３ｂをユーザの体の前や後に動かすことが可能となり、スカート１の位置を前や後ろに回転させることを可能としている。
【００１１】  スカート本体部２は、左右対称の形状を有しており、ベルト本体部３ｃに取り付けられた両端部から略直線状に伸びた直線部２ｘと、直線部２ｘの端部を結ぶ弧状の弧状部２ｙとを有する扇形状を有している。また、スカート本体部２のスカート縦長さ２ｅがスカート側面の長さ２ｄより長い構造になっている。これにより、スカート１を回転した際にユーザの足を出すか隠すかを分離する機能が発揮される。
【００１２】  更に、スカート本体部２は、スカート縦長さ２ｅがスカート側面の長さ２ｄより３倍以上長い構造になっていると、スカート１を回転した際にユーザの足を出すか隠すかを分離する機能をより発揮することができる。
【００１３】  スカート本体部２は、スカート本体部２の中で上の両端から端部への直線状に伸びた直線部２ｘと、スカート本体部２の端部の弧状の曲線である弧状部２ｙとが交わるエッジ部２ｆの直線・曲線交点角度２ｃが１１０°以上であるように成形されている。この角度に成型することにより、ユーザはエッジ部２ｆを両手で持つと、きれいな広がりを見せることができる。例えば、直線部２ｘは、ユーザである平均的な腕の長さの成人女性がエッジ部２ｆを両手で持ったときに直線部２ｘが弛まないような長さに成形されており、ユーザが両方のエッジ部２ｆを持つことにより、直線部２ｘが弛むことなく、かつ、スカート本体部２の前面に広がりをもたせて大きくきれいに見せることができる。
【００１４】  スカート本体部２は、表面の一部または全部に光沢を有する光沢素材部２ａが設けられており、ユーザは、光沢素材部２ａを前面に見せるように、かつスカート本体部２が自分の体の前側に配置されるようにスカート１を装着することにより、足を見せることなく美しく高級な感じにみせる効果が発揮できる。一方、ユーザは、光沢素材部２ａを前面に見せるように、かつスカート本体部２が自分の体の後ろ側に配置されるようにスカート１を装着することにより、足を綺麗にみせることができる。
【００１５】  スカート本体部２の下部であり、ベルト部３に対向する弧状部２ｙの一部または全部には、弾力性素材部４ａを有する長さ調整部４が装着されており、背の高さが異なる人が着用しても、弾力性素材部４ａが緩衝部分となって高さの違いの調整が可能となるようになっている。
【００１６】  図２は、本発明の一実施例に係るスカートの構成図（裏）である。
裏面のスカート本体部２は、長さ調整部４に連続して設けられており、弾力性素材部４ａと同じ素材を有している。具体的には、スカート本体部２の裏面には、一部または全部に弾力性素材部２ｂが設けられているので、弾力性素材部４ａと一体となったように見える。これにより、ユーザが、弾力性素材部２ｂを前面に見せるように、かつスカート本体部２が自分の体の後ろ側に配置されるようにスカート１を装着することにより、ユーザの足をみせつつ可愛い感じを演出する効果が発揮できる。一方、ユーザは、弾力性素材部２ｂを前面に見せるように、かつスカート本体部２が自分の体の前側に配置されるようにスカート１を装着することにより、ユーザの足をみせることなく可愛い感じを演出する効果が発揮できる。なお、弾力性素材部２ｂは、例えば、羽毛や、ポリエステル繊維などを用いて羽毛を模擬した人工羽毛や、細い紐状の繊維素材など、フワフワ感を演出させるようなものであればよい。
【００１７】  スカート本体部２の下部であり、ベルト部３に対向する弧状部２ｙの一部または全部には、弾力性素材部４ａを有する長さ調整部４が装着されており、背の高さが異なる人が着用しても、弾力性素材部４ａが緩衝部分となって高さの違いの調整が可能となるようになっている。
【００１８】  ベルト部３は、紐状のベルト本体部３ｃを、このベルト本体部３ｃの両端部に設けられた接合部３ａ，３ｂで接合する。ユーザは、体の後ろで接合部３ａと接合部３ｂとを接合することで、弾力性素材部２ｂを前面に出すことが可能となる。また、この接合部３ａ，３ｂを接合した状態のまま、接合部３ａ，３ｂを体の前に回転させることで、足が見えるスカートに変化させることが可能であり、着替えの時間を短縮させる効果を持っている。
【００１９】  図３は、本発明の一実施例に係るスカートがユーザの足が見えるように着用された着用例を示す図である。写真の撮影者は、図３の正面位置からユーザを撮影することにより、ユーザの前面が撮影されることになる。
図３に示すように、本利用形態では図１に示したスカートの構成図（表）の状態で、ユーザの足を見せるため、スカート本体部２をユーザの足の裏側になるように、接合部３ａ，３ｂを体の前側に回してスカート１を装着している。このとき、スカート本体部２の光沢素材部２ａが前側となっている。スカート１の下には、別のミニスカート５が装着されている。この状態では、スカート縦長さ２ｅがスカート側面の長さ２ｄより長くなっているため、足が見えるように撮影できる。このように、スカート１は、ミニスカート５など他のスカートやパンツなどと組み合わせることにより、その組み合わせの数だけバリエーションを豊富にすることができるので、少ない衣装点数で様々なバリエーションに富んだ写真を撮影することができる。
【００２０】  更にスカート縦長さ２ｅがスカート側面の長さ２ｄより３倍以上長い構造にすることにより、一層足を出す効果を有する。
【００２１】  図３に示した本利用形態で、スカート本体部２の直線部２ｘと、スカート本体部２の弧状部２ｙとが交わるエッジ部２ｆの直線・曲線交点角度２ｃが１１０°以上であるように成形されているので、ユーザが、エッジ部２ｆを両手で持って広げることで、きれいな広がりを見せることができる。
【００２２】  図３の状態で写真をユーザの正面位置から撮影すると、光沢素材部２ａが光沢を有し美しく高級な感じを演出できる。また光を反射する効果があるため、足を綺麗に見せる効果もある。
【００２３】  図３における弾力性素材部４ａは緩衝であり、着用する人の背が低くても余った弾力性素材部４ａが床に自然に広がる為、優雅で優しい情感を出す写真を作る効果を有する。
【００２４】  図４は、本発明の一実施例に係るスカートがユーザの足が見えないように着用された着用例を示す図である。
図４に示すように、本利用形態では図２に示したスカートの構成図（裏）の状態で、ユーザの足を隠すため、スカート本体部２をユーザの足の前側になるように、接合部３ａ，３ｂを体の後側に回してスカート１を装着している。このとき、スカート本体部２の弾力性素材部２ｂが前側となっている。この状態では、スカート縦長さ２ｅがスカート側面の長さ２ｄより長くなっているため、足を出さずに撮影できる。
【００２５】  更にスカート縦長さ２ｅがスカート側面の長さ２ｄより３倍以上長い構造にすることにより、全面が足より長くなり、足を完全に隠す効果を有する。
【００２６】  図４に示した本利用形態で、スカート本体部２の直線部２ｘと、スカート本体部２の弧状部２ｙとが交わるエッジ部２ｆの直線・曲線交点角度２ｃが１１０°以上であるように成形されているので、ユーザが、エッジ部２ｆを両手で持って広げることで、優雅な広がりを見せることができる。
【００２７】  図４に示した本利用形態で、写真撮影を行うと、弾力性素材部２ｂが表にでるため、可愛い感じを演出する効果がある。
【００２８】  図４における弾力性素材部４ａは緩衝であり、着用する人の背が低くても余った弾力性素材部４ａが床に自然に広がる為、自然に美しく写真を作る効果を有する。
【００２９】  図３におけるユーザの足を出した状態から図４におけるユーザの足を隠した状態への状態の移動は、ベルトを接合した状態で接合部３ａ，３ｂを前から後ろに、体を中心として回転させるだけで可能となる。そのため着替えをする時間が不要となり、撮影時間を短縮する効果を有する。
【００３０】  図５は、本発明の一実施例に係るスカートがユーザの足が見えないように着用された着用例を示す図である。
図５に示すように、本利用形態では図１に示したスカートの構成図（表）の状態で、ユーザの足を隠すため、スカート本体部２をユーザの足の前側になるように、接合部３ａ，３ｂを体の後側に回してスカート１を装着している。このとき、スカート本体部２の光沢素材部２ａが前側となっている。この状態では、スカート縦長さ２ｅがスカート側面の長さ２ｄより長くなっているため、足を出さずに撮影できる。
更にスカート縦長さ２ｅがスカート側面の長さ２ｄより３倍以上長い構造にすることにより、全面が足より長くなり足を完全に隠す効果を有する。
【００３１】  図５に示した本利用形態で、スカート本体部２の直線部２ｘと、スカート本体部２の弧状部２ｙとが交わるエッジ部２ｆの直線・曲線交点角度２ｃが１１０°以上であるように成形されているので、ユーザが、エッジ部２ｆを両手で持って広げることで、優雅な広がりを見せることができる。
【００３２】  図５に示した本利用形態で、写真撮影を行うと、光沢素材部２ａが表にでるため、美しく高級な感じを演出する効果がある。
【００３３】  図５における弾力性素材部４ａは緩衝であり、着用する人の背が低くても余った弾力性素材部４ａが床に自然に広がる為、自然に美しく写真を作る効果を有する。
【００３４】  このように、一着のスカートで図３、図４、図５の使い方を有する為、スカートの品揃えを少なくさせる効果を有している。
【符号の説明】
【００３５】  １  スカート
２  スカート本体部
２ａ  光沢素材部
２ｂ  弾力性素材部
２ｃ  直線・曲線交点角度
２ｄ  スカート側面の長さ
２ｅ  スカート縦の長さ
２ｆ  エッジ部
３  ベルト部
３ａ  接合部
３ｂ  接合部
３ｃ  ベルト本体部
４  長さ調整部
４ａ  弾力性素材部
【図１】
2015166510.tif 000003
【図２】
2015166510.tif 000004
【図３】
2015166510.tif 000005
【図４】
2015166510.tif 000006
【図５】
2015166510.tif 000007